(57)【特許請求の範囲】
【請求項１】
傘生地が張られた第１の親骨と、前記第１の親骨を支持する第１の受骨と、を備え、下ろくろ（ランナー）を上下に摺動させることにより開閉可能とした傘であって、
前記傘生地とは独立した少なくとも３本以上の第２の親骨と、
前記下ろくろ（ランナー）を上はじき（開傘時ストッパー）より上方に位置させた状態で、前記第２の親骨が所定の角度で開いた状態にロックされるよう前記第２の親骨と前記下ろくろ（ランナー）とを接続する第２の受骨と、
前記第２の親骨を接続し、肩当てを構成する帯状部材と、
を備え、傘使用者の肩部に装着可能としたこと、
を特徴とする傘。
【請求項２】
傘生地が張られた親骨と、前記親骨を支持する第１の受骨と、を備え、下ろくろ（ランナー）を上下に摺動させることにより開閉可能とした傘であって、
一端が前記親骨に接続される少なくとも３本以上の支持骨と、
前記下ろくろ（ランナー）を上はじき（開傘時ストッパー）より上方に位置させた状態で、前記支持骨が所定の角度で開いた状態にロックされるよう前記支持骨と前記下ろくろ（ランナー）とを接続する第２の受骨と、
前記支持骨同士を接続し、肩当てを構成する帯状部材と、
を備え、傘使用者の肩部に装着可能としたこと、
を特徴とする傘。
【請求項３】
中棒が、上はじき（開傘時ストッパー）を備えた上部軸体と、前記上部軸体とヒンジで接続された下部軸体と、により構成され、
傘を開いた状態で前記下部軸体を折り曲げて使用可能としたこと、
を特徴とする請求項１または２に記載の傘。
【発明の詳細な説明】
【技術分野】
【０００１】
本発明は、身体や乗り物等に装着・支持する構造を備え、傘使用者の両手を自由にできるようにした傘に関する。
【背景技術】
【０００２】
傘をさしながら両手で作業をしたいときや、自転車に乗るときやベビーカーを押す際に手がふさがれる不便を解消するため、従来より、装着器具を用いて身体や自転車等に装着可能とした傘の支持用具が各種提案されている。例えば、特開２００５−７３９８０号公報には、胴ベルトと、襷がけする肩ベルトからなり、肩部と腹部との２点で傘を保持できるようにした傘支持用具が開示されている。また、特開平１１−１１５８５１号公報には、自転車のハンドルグリップに取り付ける傘持ち補助具が開示されている。
【０００３】
また、傘自体の構造に工夫を加えて、両手を空けることができるようにしたものも提案されている。例えば、特開２００３−３１０３２０号公報には、交叉しない２本の軸（中棒）を備え、使用者の両肩に装着できるようにした傘が紹介されている。また、特開２０００−１３９５３３号公報には、二股状に開くことのできる中軸（中棒）を有し、身体に装着できるようにした傘が紹介されている。
【０００４】
【特許文献１】特開２００５−７３９８０号公報
【特許文献２】特開平１１−１１５８５１号公報
【特許文献３】特開２００３−３１０３２０号公報
【特許文献４】特開２０００−１３９５３３号公報
【発明の開示】
【発明が解決しようとする課題】
【０００５】
特許文献１、２等に記載の傘支持用具は、一般的な傘を用いることができるという利点があるが、傘とは別にこの種の傘支持用具を携行ないし予め自転車等に装着していなければならないという問題点がある。
【０００６】
これに対して、特許文献３、４等に記載の傘は傘自体に傘の支持機構が組み込まれているため出先等でも簡便に使用可能であるが、概して構造が複雑とならざるを得ずコスト、収納性や重量面での不利がある。特に、特許文献４に記載の傘では、軸二股に分かれた中棒の２点で支持する構成ゆえに、ヒンジ自体特殊なものを採用せざるをえず、また場合によっては、特殊な大径の下ろくろ（ランナー；同公報の図５参照）が必要になってくるものと考えられる。
【０００７】
本発明は、上記した事情に鑑みてなされたものであって、その目的とするところは、一般の傘同様の利便性、経済性を備えつつ、手を添えずともしっかりと傘を支持できる機構が組み込まれた傘を提供することにある。
【課題を解決するための手段】
【０００８】
本発明の第１の視点によれば、傘生地が張られた第１の親骨と、前記第１の親骨を支持する第１の受骨と、を備え、下ろくろ（ランナー）を上下に摺動させることにより開閉可能とした傘であって、前記傘生地とは独立した少なくとも３本以上の第２の親骨と、前記下ろくろ（ランナー）を上はじき（開傘時ストッパー）より上方に位置させた状態で、前記第２の親骨が所定の角度で開いた状態にロックされるよう前記第２の親骨と前記下ろくろ（ランナー）とを接続する第２の受骨と、前記第２の親骨を接続し、肩当てを構成する帯状部材と、を備え、傘使用者の肩部に装着可能としたこと、を特徴とする傘が提供される。
【０００９】
また、本発明の第２の視点によれば、傘生地が張られた親骨と、前記親骨を支持する第１の受骨と、を備え、下ろくろ（ランナー）を上下に摺動させることにより開閉可能とした傘であって、一端が前記親骨に接続される少なくとも３本以上の支持骨と、前記下ろくろ（ランナー）を上はじき（開傘時ストッパー）より上方に位置させた状態で、前記支持骨が所定の角度で開いた状態にロックされるよう前記支持骨と前記下ろくろ（ランナー）とを接続する第２の受骨と、前記支持骨同士を接続し、肩当てを構成する帯状部材と、
を備え、傘使用者の肩部に装着可能としたこと、を特徴とする傘が提供される。
【００１０】
またより好ましくは、前記各傘の中棒が、上はじき（開傘時ストッパー）を備えた上部軸体と、前記上部軸体とヒンジで接続された下部軸体と、により構成され、傘を開いた状態で前記下部軸体を折り曲げて使用可能に構成される。
【発明の効果】
【００１１】
本発明によれば、コストも安く、可搬性・収納性のみならず、安定性・使い勝手も良好なハンズフリー型の傘が得られる。その理由は、一般的な傘に用いられている親骨、受骨、下ろくろ（ランナー）等を共用できる構成としたこと、３点以上で傘を支持する構成としたこと、従来の傘と同様の操作により開閉できる構成としたことにある。
【発明を実施するための最良の形態】
【００１２】
続いて、本発明を実施するための最良の形態について図面を参照して詳細に説明する。図１、図２は、本発明の第１の実施形態に係る傘を開いた状態を表した図である。図１を参照すると、本発明の第１の実施形態に係る傘は、中棒１０と、第１親骨２０と、第２親骨（支持骨）３０と、下ろくろ（ランナー）４０と、第１受骨５０と、第２受骨５１と、連結帯６０と、固定帯６１と、図示省略した傘生地、第１親骨２０の先端が固着される露先とから構成されている。
【００１３】
中棒１０は、図上端の石突側から順に、第１親骨２０と第２親骨（支持骨）３０とを放射状に接続する上ろくろ１１と、それぞれ板バネで構成された上はじき（開傘時ストッパー）１２と、下はじき（閉傘時ストッパー）１３と、玉留（把持部）１５と、を備えている。また、中棒１０は、上はじき（開傘時ストッパー）１２を配置可能な範囲で極力短くした上部軸体と、下部軸体と、からなり、上部軸体と下部軸体との間には、中棒の屈曲点を構成するヒンジ１４が配置されている。
【００１４】
本実施形態では、第１親骨２０は図２に表されたように６本備えられており、傘生地が縫着されるとともに、その中間のジョイント部２１に第１受骨５０の一端が接続され、第１受骨５０の他の一端と接続された下ろくろ（ランナー）４０の上下動に従って、傘を開閉する構成となっている。
【００１５】
本実施形態では、第２親骨３０は図２に表されたように所定の間隔で４本備えられており、その先端に連結帯６０と、固定帯６１とが固着される。また、第２親骨３０の中間のジョイント部３１には、第１受骨より短い第２受骨５１の一端が接続される。第２受骨５１の他の一端は、下ろくろ（ランナー）４０と接続されており、下ろくろ（ランナー）４０を上はじき（開傘時ストッパー）１２より上に移動し開傘状態にロックすると、第２親骨３０が椅子脚状に所定の角度でロックされる構成となっている。
【００１６】
また同様に、上記下ろくろ（ランナー）４０を下はじき（閉傘時ストッパー）１３より下に移動し閉傘状態にすると、第２親骨３０も閉じた状態でロックされる構成となっている。
【００１７】
ヒンジ１４は、必要に応じて中棒を折り曲げることができるように配設されたものであり、スプリングワッシャによって適当なトルクフリクションが与えられ、所定の力を加えることで屈曲させることが可能となっている。
【００１８】
連結帯６０は、４本の第２親骨３０の左側と右側のそれぞれ前後２本を連結する幅広の帯状部材からなり、使用者への装着時に肩当てを構成する。また、連結帯６０のさらに下部には、長さ調節機構を備えた固定帯６１が設けられ、肩部への装着をより確実なものとする構成となっている。
【００１９】
これら連結帯６０及び固定帯６１としては、傘を閉じた時に傘生地とともに折りたためるよう、化繊等の柔軟性のある素材を望ましく採用でき、傘を閉じた際に、固定帯６１をストラップとして用いる構成が得られる。もちろん、連結帯６０及び固定帯６１のいずれかを着脱自在としてもよいし、その場合例えば連結帯６０を成型された肩当てを含んだ部材とすることもできる。
【００２０】
続いて、本実施形態に係る傘の動作について説明する。まず、閉じた状態では、下ろくろ（ランナー）４０は、下はじき（閉傘時ストッパー）１３より下方にあり、第１親骨２０、第２親骨３０はそれぞれ閉じた状態（閉傘状態）となっている。
【００２１】
上記状態（閉傘状態）から、下はじき（閉傘時ストッパー）１３を解除し、下ろくろ（ランナー）４０を上方に摺動させていくと、第１受骨５０、第２受骨５１が、それぞれ第１親骨２０、第２親骨３０を押し上げて行く。
【００２２】
そして、下ろくろ（ランナー）４０を一番上まで移動させた段階で、上はじき（開傘時ストッパー）１２が作動し、第１親骨２０が一杯まで開いた状態（開傘状態）でロックさせる。このとき、上はじき（開傘時ストッパー）１２によって、下ろくろ（ランナー）４０がロックされ下方への摺動が抑止されるため、第１受骨５０の端部も位置決めされ、傘の緊張状態が保持される。
【００２３】
上記下ろくろ（ランナー）４０のロックと同時に、下ろくろ（ランナー）４０に接続された第２受骨５１の端部も位置決めされる。かくて、各第２親骨３０と下ろくろ（ランナー）４０が各第２受骨５１によって繋止され、４本の第２親骨３０が椅子脚状に所定の角度で開いた状態でロックされる。
【００２４】
上記状態から傘の使用者が傘を装着する前に、ヒンジ１４を作動させて、中棒１０を略直角に折りたたむことにより、図３に示したとおり、傘の使用者の頭部と中棒１０が干渉することなく装着することが可能となる。最後に、傘の使用者が連結帯６０と固定帯６１とで構成される輪に腕を通し肩の位置で固定することによって、傘の装着が完了する。
【００２５】
以上のとおり、本実施形態に係る傘によれば、傘を開くと同時に支持骨もスタンバイ状態となるので、特別な作業を必要とすることなく、支持骨を利用した傘の使用を開始することができる。また、第２親骨（支持骨）３０は従来の親骨同様中軸上部の上ろくろ１１から伸びた１本の骨で構成することが可能である。該構成によれば、部品構成は簡素で済み、コストアップも最小限に抑えることが可能となっているばかりか、従来の製造工程を大きく変更することなく製造することが可能である。
【００２６】
また、本実施形態に係る傘によれば、特許文献４等の構成に比べても、傘全体の荷重が分散された構成となっており、良好な安定感、耐久性が実現されている。更に、傘の要求仕様に応じて、第２親骨（支持骨）３０の本数を増大することや骨材の強度を強くすることも可能であり、自転車等に第２親骨（支持骨）３０を直接装着する場合に、強い横風などに耐えうる設計とすることも可能となっている。
【００２７】
更に、本実施形態に係る傘は、上述したとおり閉じたときに従来のこうもり傘と同等の収納性が実現されており、店舗等に設置される中棒の把持部付近を挟む形式の鍵付き傘ホルダーにも収納することが可能である。
【００２８】
続いて、本発明の第２の実施形態に係る傘について図面を参照して説明する。図４は、本発明の第２の実施形態に係る傘を開いた状態を表した図である。図４を参照すると、本実施形態に係る傘は、支持骨７０が上ろくろ１１に接続されているのではなく、第１親骨２０のジョイント部２２を介して接続されている点で上記第１の実施形態と相違している。
【００２９】
換言すれば、本実施形態に係る傘は、一般的な傘の第１親骨２０の任意の骨に、第２ジョイント部２２を設け、ジョイント部７１を有する支持骨７０の一端を接続し、この第２親骨（支持骨）３０を、第２受骨５１を介して下ろくろ（ランナー）４０と接続した構成となっている。
【００３０】
その他の構成は上記第１の実施形態と同様であるため説明を省略するが、本実施形態によれば、例えば６〜８本用の既製の上ろくろ１１を使用可能とするとともに、第１親骨２０及び支持骨７０を必要数確保することが可能となる。また、本実施形態の構成によれば、第１親骨２０のジョイント部２２の仕様を変更するだけで、親骨と径や材質が異なる支持骨７０を採用することが可能となり、更に、支持骨７０の交換・修理等も容易化される。
【００３１】
以上、本発明の第１、第２の実施形態を説明したが、本発明の技術的範囲は、上記した各実施形態に限定されるものではなく、一般的な傘の構成に加えて、傘生地が張られない第２の親骨（支持骨）と、前記第２の親骨（支持骨）を脚状に保持する第２受骨を含んだ構成を具備するという本発明の要旨を逸脱しない範囲で、各種の変形・置換をなしうることが可能であることはいうまでもない。
【００３２】
例えば、上記した第１の実施形態では、第１親骨が６本、第２親骨が４本の計１０本の親骨を有する傘を例示して説明したが、傘としての機能を喪わず、かつ、傘本体を支持可能な本数の第２親骨を確保可能な範囲（少なくとも第２親骨（支持骨）が３本あれば、三脚状に傘本体を支持可能となる。）で、上記親骨の本数、配分を変更することが可能である。
【００３３】
また、上記した実施形態では、使用者の上半身と中棒１０の干渉を避けるべく、適当なトルクフリクションの下、中棒１０を屈曲できる構成としたが、図３のような中棒１０を略直角に折りたたんだ状態で、玉留１５と第１親骨２０の先端近傍に設けた止め具を嵌合させ該状態を保持可能とする構成にすることも可能である。また、上記構成に代えて、ヒンジ１４にロック機構を併設し、ロックを解除した状態で回動自在とし、中棒１０を真っ直ぐにした状態、曲げた状態でロックすることできるようにしてもよいし、折りたたみ傘と同様に、中棒１０を多段のロッドアンテナ状とし、伸縮自在としてもよい。
【００３４】
また、上記した実施形態では、身体に装着する例を挙げ、連結帯６０及び固定帯６１とがそれぞれ独立している構成を開示したが、連結帯６０及び固定帯６１を一体化し、使用者の肩を周回させて装着する構成とすることも可能である。また、三脚状、４つ脚以上の椅子脚状に保持される支持骨を把持するアタッチメント（台座）を設けることで、自転車やベビーカー等に装着することも可能となる。
【図面の簡単な説明】
【００３５】
【図１】本発明の第１の実施形態に係る傘を開いた状態を表した側面図である。
【図２】本発明の第１の実施形態に係る傘を開いた状態を表した平面図である。
【図３】本発明の第１の実施形態に係る傘の使用状態を示した図である。
【図４】本発明の第２の実施形態に係る傘を開いた状態を表した側面図である。
【符号の説明】
【００３６】
１０  中棒
１１  上ろくろ
１２  上はじき（開傘時ストッパー）
１３  下はじき（閉傘時ストッパー）
１４  ヒンジ
１５  玉留（把持部）
２０  第１親骨
２１、２２、３１、７１  ジョイント部
３０  第２親骨（支持骨）
４０  下ろくろ（ランナー）
５０  第１受骨
５１  第２受骨
６０  連結帯
６１  固定帯
７０  支持骨
【図１】
0004638299.tif 000002
【図２】
0004638299.tif 000003
【図３】
0004638299.tif 000004
【図４】
0004638299.tif 000005